(57)【要約】【課題】施工が容易で、ひび割れが生じにくい、避難ハッチ用外枠を提供する。【解決手段】四隅に面取部を備える略四角柱形状の本体と、前記面取部から上方に延長された延長部を有する避難ハッチ用外枠。【選択図】図１
2018057649.tif 000002
【特許請求の範囲】
【請求項１】
四隅に面取部を備える略四角柱形状の本体と、前記面取部から上方に延長された延長部を有することを特徴とする避難ハッチ用外枠。
【請求項２】
前記面取部から外方に伸びる補強筋と、前記補強筋に接続され、水平方向に前記面取部と略平行に伸びるひび割れ防止筋を備えることを特徴とする請求項１に記載の避難ハッチ用外枠。
【請求項３】
前記補強筋が鉛直方向に複数段設けられており、補強筋の各段それぞれに前記ひび割れ防止筋が接続されていることを特徴とする請求項２に記載の避難ハッチ用外枠。
【請求項４】
四隅に面取部を備える略四角柱形状の本体と、前記面取部から上方に延長された延長部を有する避難ハッチ用外枠を所定位置にセットした後、
前記避難ハッチ用外枠周辺の配筋を行い、
コンクリートを打設して、前記避難ハッチ用外枠をコンクリートに埋設することを特徴とする避難ハッチ用外枠の施工方法。
【発明の詳細な説明】
【技術分野】
【０００１】
本発明は、建築物の扁平梁部分等に設置される避難ハッチの外枠に関する。
【背景技術】
【０００２】
マンション等の集合住宅には、扁平梁を利用したバルコニーが設けられる場合がある。バルコニーには、火災等の緊急時に通路とは別の避難ルートを確保するために、上階から下階に避難することのできる避難ハッチが設置される。
避難ハッチは、上下に開口部を備える外枠と、外枠内に設置される避難用ハシゴ等の避難器具と、平常時に外枠の上下開口部を閉じるための上蓋と下蓋等を有する（特許文献１、２等参照）。
避難ハッチは、所定位置に外枠をセットした後、周囲にコンクリートを流し込むことにより、コンクリートに埋設されて固定される。すなわち、外枠は、避難ハッチの開口部を形成するための型枠としての機能も有する。
【０００３】
避難ハッチの外枠は、一般に、四角柱形状である。この外枠の外側にコンクリートを打設して埋設すると、外枠角部近辺のコンクリートには乾燥収縮により外枠角部から伸びるひび割れが発生しやすい。ひび割れが発生すると、地震やその他の揺れによりひび割れの幅が広がってしまう場合があり、鉄筋の腐食や下階への水漏れ等の原因となる。
【０００４】
外枠角部からひび割れが発生することを防ぐために、外枠の角部近辺に開口の対角線に対して略直交する方向に伸びる開口補強筋が配筋される場合がある。図４に、従来の四角柱形状である外枠３００と、この外枠３００の角部近辺に設けられた開口補強筋３３０を上面から見たときの概略図を示す。なお、外枠近辺には、扁平梁を構成するための主筋やあばら筋が複雑に配筋されているが、図４では省略して示す。
開口補強筋３３０の配筋は、扁平梁を構成する鉄筋の配筋を終え、外枠３００を所定位置にセットした後に行われるため、開口補強筋３３０を通すための空間と既設の鉄筋とが干渉する、既設の鉄筋の間の狭い空間内で行うため作業性が悪い、といった問題がある。また、コンクリート打設前に、鉄筋が基準通りに配筋されているか現場監督者が目視で確認する必要があるが、設置される全ての避難ハッチの四隅に開口補強筋３３０が基準通りに配筋されているか確認することは、大変煩雑である。
【先行技術文献】
【特許文献】
【０００５】
【特許文献１】特開平９−１２２２６２号公報
【特許文献２】特開平１０−１２７７９６号公報
【発明の概要】
【発明が解決しようとする課題】
【０００６】
施工が容易で、ひび割れが生じにくい、避難ハッチ用外枠を提供することを課題とする。
【課題を解決するための手段】
【０００７】
１．四隅に面取部を備える略四角柱形状の本体と、前記面取部から上方に延長された延長部を有することを特徴とする避難ハッチ用外枠。
２．前記面取部から外方に伸びる補強筋と、前記補強筋に接続され、水平方向に前記面取部と略平行に伸びるひび割れ防止筋を備えることを特徴とする１．に記載の避難ハッチ用外枠。
３．前記補強筋が鉛直方向に複数段設けられており、補強筋の各段それぞれに前記ひび割れ防止筋が接続されていることを特徴とする２．に記載の避難ハッチ用外枠。
４．四隅に面取部を備える略四角柱形状の本体と、前記面取部から上方に延長された延長部を有する避難ハッチ用外枠を所定位置にセットした後、
前記避難ハッチ用外枠周辺の配筋を行い、
コンクリートを打設して、前記避難ハッチ用外枠をコンクリートに埋設することを特徴とする避難ハッチ用外枠の施工方法。
【発明の効果】
【０００８】
本発明の避難ハッチ用外枠は、四隅に面取部を備える略四角柱形状の本体を有する。本体の四隅が面取りされているため、角部近辺における応力集中によるコンクリートのひび割れが発生しにくい。
延長部を、下方の面取部より広幅に設けることにより、衝撃等により延長部が内側、または外側に倒れることを防止することができる。また、延長部を支持部材で接続することにより、さらに延長部を補強することができる。
外枠の上方開口部の縁に、内方に伸びる口縁部を有することにより、本体全体の剛性が増し、コンクリート打設時等に変形することを防止することができる。
【０００９】
面取部から外方に伸びる補強筋と、この補強筋に接続され、水平方向に面取部と略平行に伸びるひび割れ防止筋を備えることにより、さらにひび割れの発生を抑制することができる。
避難ハッチ用外枠は、コンクリートに埋設されて、緊急時に上階から下階に逃れるためのものであるが、補強筋を鉛直方向に複数段に亘って設けることにより、コンクリートの上面、下面の両方におけるひび割れの発生を防止することができる。
【００１０】
予め、本発明の避難ハッチ用外枠を所定位置にセットした状態で、扁平梁を構成する主筋、あばら筋等の配筋を行うことにより、避難ハッチ用外枠に干渉しないように配筋することが容易である。
また、補強筋とひび割れ防止筋を備えた避難ハッチ用外枠を用いる場合、開口補強筋が不要となり、施工の簡易化、短期化を達成することができる。この場合、所定の位置にひび割れ防止筋が確実に配筋されているためコンクリート打設前の配筋の確認作業が容易である。
【図面の簡単な説明】
【００１１】
【図１】本発明の避難ハッチ用外枠の第一の実施態様を示す図。
【図２】本発明の第一の実施態様である避難ハッチ用外枠に避難器具を設置した状態を示す図。
【図３】本発明の避難ハッチ用外枠の第二の実施態様を示す図。
【図４】従来の矩形の外枠と、この外枠の角部近辺に設けられた開口補強筋を上面から見たときの概略図。
【発明を実施するための形態】
【００１２】
本発明は、避難ハッチの開口部を施工する際の型枠としての機能も有する避難ハッチ用外枠に関する。
図１に、本発明の避難ハッチ用外枠の第一の実施態様を示す。
第一の実施態様である避難ハッチ用外枠１００は、四隅に面取部１２０を備える略四角柱形状の本体１１０を有し、本体１１０は、内部が開口部となっている。開口部の上面周縁は内側に折り曲げられて口縁部１４０を形成している。本体四隅の面取部１２０は、開口部上面より上方に伸びる延長部１２１を有し、延長部１２１は、略四角柱形状である本体１１０の対向する二辺において支持部材１５０により接続されている。
【００１３】
本体１１０は、緊急時に人が本体内部を通過して避難するための開口部を有する。日本国では、平成八年四月十六日付け消防庁告示第二号（避難器具の設置及び維持に関する技術上の基準の細目）により、開口部の大きさが規定されており、例えば、避難はしごの場合は、直径〇・五メートル以上の円が内接することができるように定められている。本発明の避難ハッチ用外枠において、避難器具は開口部に嵌合することにより設置される。避難器具として一般的な避難はしごを設置する場合、本体１１０の大きさは、開口部の大きさを確保するために０．６ｍ四方程度が必要である。本体１１０の高さは、避難ハッチが設置される扁平梁等の厚さに応じて適宜設計される。
本体１１０を形成する材料としては、ステンレス、溶融亜鉛メッキ鋼板等が挙げられる。単なる鋼板は、施工後に錆が生じる場合があるため好ましくない。
【００１４】
本体１１０の四隅には、面取部１２０が形成されており、面取部１２０は、上方に延長された延長部１２１を有する。第一の実施態様である避難ハッチ用外枠１００は、本体１１０の四隅が面取りされて面取部１２０となっているため、コンクリートに埋設した際に角部に集中する応力が小さく、コンクリートの乾燥収縮によるひび割れの発生を防止することができる。面取部１２０の幅は、応力の集中を防ぐために８ｃｍ以上であることが好ましい。
【００１５】
延長部１２１は、下方の面取部１２０より広幅に、すなわち、面取部１２０の両隣の面の一部に亘って設けることが好ましい。延長部１２１を下方の面取部１２０よりも広幅に設けることにより、衝撃等により延長部１２１が内側、または外側に倒れることを防止することができる。延長部１２１の長さは、本体１１０の開口部上に避難器具を設置してコンクリートを打設した際に、延長部１２１上辺がコンクリートからはみ出さないように設計する。延長部１２１は、略四角柱形状である本体１１０の対向する二辺において支持部材１５０により接続されているが、支持部材１５０は、後述するように避難器具を支え、また、延長部１２１を補強する機能を有する。
開口部の上面周縁には口縁部１４０が形成されている。口縁部１４０は、本体１１０の剛性を高くし、また、打設時にコンクリートの開口部内への流入を防ぐ蓋としての役割も有する。
【００１６】
面取部１２０の外面には、外方に伸びる補強筋１３０ａ、ｂが固定されている。第一の実施態様である避難ハッチ用外枠１００では、補強筋１３０ａ、ｂはＬ字型であり、その一辺が溶接等により面取部１２０に固定されている。
第一の実施態様である避難ハッチ用外枠１００は、面取部１２０から外方に伸びる補強筋１３０ａ、ｂを備えることにより、面取部１２０近辺で硬化するコンクリートを拘束し、角部近辺のコンクリート強度を高くすることができる。
【００１７】
補強筋１３０ａ、ｂには、水平方向に面取部１２０と略平行に伸びるひび割れ防止筋１６０が、二本の補強筋１３０ａ、ｂを跨ぐように溶接等により接続されている。第一の実施態様である避難ハッチ用外枠１００は、ひび割れ防止筋１６０を二本の補強筋１３０ａ、ｂ上に載置した状態でひび割れ防止筋１６０と補強筋１３０ａ、ｂとの接続作業を行うことができるため、ひび割れ防止筋１６０の位置合わせが容易である。第一の実施態様である避難ハッチ用外枠１００では、ひび割れ防止筋１６０は、設置時にコンクリート上面から約５ｃｍ下方となる位置に固定されている。ひび割れ防止筋１６０は、コンクリート上面から３ｃｍ以上下方となる位置に固定され、通常、コンクリート上面から３ｃｍ以上１０ｃｍ以下となる位置に固定される。
ひび割れ防止筋１６０は、図４に記載の従来例における開口補強筋３３０に相当するものである。本発明の避難ハッチ用外枠１００は、面取部１２０を有することによりコンクリートのひび割れの発生を防止する効果を有するが、ひび割れ防止筋１６０を備えることにより、さらにひび割れの発生を抑制することができる。
【００１８】
図２に、第一の実施態様である避難ハッチ用外枠１００に避難器具を設置した状態を示す。避難器具は、四角柱形状の筐体４００を有し、避難はしご等（図示せず）が内部に収容されている。筐体４００は、側面に羽根部材を有する。避難器具は、筐体４００を開口部に嵌合し、羽根部材を支持部材１５０に係止することにより、避難ハッチ用外枠１００に所定の高さ位置で設置される。
【００１９】
以下、第一の実施態様である避難ハッチ用外枠１００を用いた扁平梁の施工方法を説明する。なお、本発明の避難ハッチ用外枠は、扁平梁のみならず、鉄筋コンクリート構造物の床面に設けることができる。
まず、避難ハッチが設置される扁平梁部分を形成するための型枠を設置し、型枠内の所定位置に、第一の実施態様である避難ハッチ用外枠１００をセットする。次いで、扁平梁を構成する主筋、あばら筋等の配筋を行う。
第一の実施態様である避難ハッチ用外枠１００は、補強筋１３０ａ、ｂとひび割れ防止筋１６０を備えており、予めこの避難ハッチ用外枠１００がセットされた状態で配筋を行うことにより、扁平梁を構成する鉄筋を、補強筋１３０、ひび割れ防止筋１６０と干渉することなく配筋することが容易である。また、ひび割れ防止筋１６０を備えることにより開口補強筋が不要なため、配筋作業を簡略化することができ、コンクリート打設前の配筋の確認作業も容易となる。
【００２０】
避難器具を収納する筐体４００を開口部に嵌合し、支持部材１５０で支えることにより、筐体４００を避難ハッチ用外枠１００に設置する。この際、羽根部材や支持部材１５０を調整する、または、羽根部材と支持部材１５０の間にいわゆるゲタと呼ばれる部材を配設する等により、筐体４００が所定の高さ位置となるように調整することができる。なお、筐体４００の設置は、扁平梁を構成する鉄筋の配筋作業より前に行うこともできる。
【００２１】
扁平梁を形成する型枠内にコンクリートを打設して、避難ハッチ用外枠１００と筐体４００をコンクリートで埋設して固定する。コンクリートの打設は、公知の方法で行うことができる。コンクリートが硬化することにより、扁平梁が構築される。また、必要に応じてコンクリートと筐体４００との間にコーキングを行う。
【００２２】
図３に本発明の避難ハッチ用外枠の第二の実施態様を示す。なお、図３において、図１と同一部材には同一符号を付す。
図３に示す第二の実施態様である避難ハッチ用外枠２００は、上部補強筋２３１ａ、ｂ、下部補強筋２３２ａ、ｂを有し、上部補強筋２３１ａ、ｂに上部ひび割れ防止筋２６１が、下部補強筋２３２ａ、ｂに下部ひび割れ防止筋２６２が接続されている。上部補強筋２３１と下部補強筋２３２は、コの字型の鉄筋の両端辺であり、中央の辺が面取部に溶接等により固定されている。
第二の実施態様である避難ハッチ用外枠２００において、上部ひび割れ防止筋２６１は、設置時にコンクリート上面から約５ｃｍ下方となる位置に、下部ひび割れ防止筋２６２は、設置時にコンクリート下面から約５ｃｍ上方となる位置に固定されている。上部ひび割れ防止筋２６１と下部ひび割れ防止筋２６２は、それぞれコンクリート界面から３ｃｍ以上内方となる位置に固定され、通常、コンクリート界面から３ｃｍ以上１０ｃｍ以下内方となる位置に固定される。
第二の実施態様である避難ハッチ用外枠２００は、下部ひび割れ防止筋２６２を有するため、コンクリート下面でのひび割れの発生を防止することができる。
【００２３】
なお、図１、３に示す避難ハッチ用外枠は一例であり、本発明の避難ハッチ用外枠はこれに限定されない。例えば、補強筋を、水平方向で１本以上４本以下、鉛直方向で１段以上５段以下で設置することができる。補強筋を鉛直方向で複数段設ける場合は、各段それぞれにひび割れ防止筋が設けられる。また、コの字型の鉄筋を、中央の辺が水平方向となるように面取部に固定し、その両端辺を補強筋とすることもできる。コの字型の鉄筋を中央の辺が水平方向となるように固定することにより、補強筋を鉛直方向に複数段設置することが容易である。
【符号の説明】
【００２４】
１００    第一の実施態様である避難ハッチ用外枠
１１０    本体
１２０    面取部
１２１    延長部
１３０    補強筋
１４０    口縁部
１５０    支持部材
１６０    ひび割れ防止筋
４００    避難器具の筐体
２００    第二の実施態様である避難ハッチ用外枠
２３１    上部補強筋
２３２    下部補強筋
２６１    上部ひび割れ防止筋
２６２    下部ひび割れ防止筋
３００    外枠
３３０    開口補強筋
【図１】
2018057649.tif 000003
【図２】
2018057649.tif 000004
【図３】
2018057649.tif 000005
【図４】
2018057649.tif 000006